【事件の表示】
　特願２０１６−１６０８１６号「遊技機」拒絶査定不服審判事件〔平成２８年１１月１０日出願公開、特開２０１６−１９０１３１号〕について、次のとおり審決する。
【結　論】
　本件審判の請求は、成り立たない。
【理　由】
第１　手続の経緯
　本願は、平成２４年９月３日に出願した特願２０１２−１９３６２４号（以下、「原出願」という。）の一部を平成２８年８月１８日に新たな特許出願（特願２０１６−１６０８１６号）としたものであって、同年１１月３０日に手続補正書が提出され、平成２９年９月６日付けで拒絶の理由が通知され、同年１２月２５日に意見書及び手続補正書が提出されたところ、平成３０年５月１５日付け（送達日：同年同月１８日）で拒絶査定がなされ、それに対して、同年８月１７日に拒絶査定不服審判の請求がなされると同時に手続補正がなされ、これに対し、当審において、令和１年５月９日付けで拒絶の理由が通知され、同年同月１７日に意見書及び手続補正書が提出されたものである。
第２　本願発明
　本願請求項１に係る発明は、令和１年５月１７日に提出された手続補正書により補正された特許請求の範囲の請求項１に記載の事項により特定されるとおりのものであると認められ、その請求項１に係る発明（以下、「本願発明」という。）は、分説してＡないしＰの符号を付与すると、次のとおりのものである（なお、下線は上記手続補正書による補正箇所を示す。）。
「【請求項１】
Ａ　遊技者の操作によって遊技媒体が打込まれる遊技領域を有した遊技盤と、
Ｂ　前記遊技盤を脱着可能に支持する本体枠と、
Ｃ　前記本体枠の前面に対して開閉可能に支持されると共に閉鎖した時に前記本体枠に支持された前記遊技盤の少なくとも前記遊技領域が遊技者側へ臨む遊技窓を有した扉枠と、
Ｄ　前記遊技窓の下方に形成され、前方に膨出して前記遊技媒体を貯留可能な皿部と、発光装飾可能な発光装飾部と、遊技者によって操作可能な複数の操作部と、を有する皿発光装飾手段と、
Ｅ　前記皿発光装飾手段に近接して設けられ、前記遊技窓の外周の所定領域を装飾し、遊技者側へ向けて発光可能とされた第一発光装飾手段と、
Ｆ　前記遊技窓の外周の前記所定領域とは異なる領域を装飾し、前記第一発光装飾手段よりも前方に膨出し発光可能な膨出部を有する第二発光装飾手段と、
を備え、
Ｇ　前記皿発光装飾手段を上方からみたときの前記皿発光装飾手段による装飾と
前記遊技盤と対向した遊技者から見える
Ｈ　前記第一発光装飾手段による装飾は、
前記遊技盤と対向した遊技者から見える
前記皿発光装飾手段を上方からみたときの
Ｉ　前記皿発光装飾手段は、前記第二発光装飾手段の前記膨出部よりもさらに前方に膨出して形成され、
Ｊ　前記本体枠の前面に対して開閉可能に支持された前記扉枠の開放側に前記膨出部が位置し、
Ｋ　前記複数の操作部のうちの特定の操作部に対して、第一操作態様にて操作させる第一操作演出と、前記第一操作態様とは異なる第二操作態様にて操作させる第二操作演出とを含む複数の操作演出を実行可能であり、
Ｌ　前記第一操作演出が実行される場合と、前記第二操作演出が実行される場合とで操作前の前記皿発光装飾手段の前記発光装飾部の発光態様が異なり、
Ｍ　
発
前記
前記遊技盤と対向した遊技者から視認容易となる内側面部と、前記遊技盤と対向した遊技者から視認困難となる外側面部とを有し、
Ｎ　
前記第二発光装飾手段からの発光は、前記遊技盤と対向した遊技者から視認容易となる前記内側面部を介し
される内側発光と、前記遊技盤と対向した遊技者から視認困難となる前記外側面部を介し
て発光さ
外側発光と、がある
前記外側面部が視認容易な
前記外側発光として、前記外側面部を介し遊技機外側にむけて
光可
Ｏ　前記
遊技盤と対向した遊技者から視認困難な前記外側面部の前記報知光が発光される箇所
も発光可能とされている
Ｐ　ことを特徴とする遊技機。」
第３　令和１年５月９日付け拒絶理由の概要
　当審による令和１年５月９日付け拒絶理由の概要は、請求項１に係る発明に対する拒絶理由を含むものであって、以下のとおりのものである。
理由１：請求項１に係る発明は、原出願の出願前日本国内又は外国において頒布された下記の刊行物１ないし５に記載された発明又は電気通信回線を通じて公衆に利用可能となった発明に基いて、原出願の出願前にその発明の属する技術の分野における通常の知識を有する者（以下、「当業者」という。）が容易に発明をすることができたものであるから、特許法第２９条第２項の規定により特許を受けることができない。
　　　　　　　　　　　　　　　　　記
刊行物１：特開２０１１−１８９０２２号公報
刊行物２：特開２０１２−１５７４４２号公報
刊行物３：意匠登録第１３３６２０５号公報
刊行物４：特開２００１−１７８８８３号公報
刊行物５：特開２００７−１４３８８４号公報
第４　刊行物に記載された事項及び引用発明
１　刊行物１
（１）　記載事項
　当審における拒絶理由に引用され、本願の原出願前に頒布された刊行物１には、以下の記載がある（下線は当審が付与した。以下同様。）。
刊１−ア
「【００１６】
　まず、本発明の遊技機の一例であるパチンコ遊技機の全体の構成について説明する。図１は、
パチンコ遊技機１
【００１７】
　図１に示すように、パチンコ遊技機１は、縦長の方形状に形成された外枠１００（図２参照）と、外枠１００に開閉可能に取り付けられた前面枠１０１（図５参照）と、で主に構成されている。
前面枠１０１の前面に
一側を中心に開閉可能に設けられ
【００１８】
　
ガラス扉枠１０２の下方に取り付けられた下扉枠１０３の前面上部に
上皿
３が上面に形成され
上皿部３ａ
パチンコ遊技機１の前方に向けて突設され
この上皿部３ａの上面左右方向の中央部に
チャンスボタン５１６が遊技者により押圧操作可能に設けられ
【００１９】
　ガラス扉枠１０２の背面には、
前面枠１０１
着脱可能に取り付けられた遊技盤６が
前面に
遊技領域７が形成され
刊１−イ
「【００３０】
　
遊技領域７の外側
周縁領域Ｚ
には、
左枠下ＬＥＤ２８ｄ、左枠ＬＥＤ２８ｆ
が内蔵される左発光部２８Ｌ
右枠下ＬＥＤ２８ｅ、右枠ＬＥＤ２８ｇ
が内蔵される右発光部２８Ｒ
が設けられ
【００３１】
　そして、この例では、左発光部２８Ｌの所定箇所に、賞球払出中に点灯する賞球ＬＥＤ５１が設けられ、
右発光部２８Ｒの所定箇所に、補給球が切れたときに点灯する球切れＬＥＤ５２が設けられている。
【００３２】
　賞球ＬＥＤ５１、球切れＬＥＤ５２、装飾ＬＥＤ２５ａ、ステージ装飾ＬＥＤ２５ｂ、天枠ＬＥＤ２８ａ、左枠上ＬＥＤ２８ｂ、右枠上ＬＥＤ２８ｃ、左枠下ＬＥＤ２８ｄ、右枠下ＬＥＤ２８ｅ、左枠ＬＥＤ２８ｆ、右枠ＬＥＤ２８ｇの各種発光手段は、主基板３１から出力される演出制御コマンドに基づき演出制御用マイクロコンピュータ８１から出力されるシリアル信号に基づいて点灯制御（ＬＥＤ制御）される。また、スピーカ２７ａ〜２７ｄからの音発生制御（音制御）は、後述する音声出力基板７０によって行なわれる。
【００３３】
　
遊技者の打球操作ハンドル５の操作により
打球発射装置から発射されたパチンコ球
遊技領域７
入
刊１−ウ
「【０１４９】
　また、
ガラス扉枠１０２の前面周縁に設けられた
左発光部２８Ｌ，右発光部２８Ｒは、
各種レンズカバーにより前方に膨出する立体形状に形成され、
右発光部２８Ｒの方が左発光部２８Ｌよりも前方に膨出されて
刊１−エ
「【０１６２】
  図１０及び図１１に示すように、
ガラス扉枠１０２
遊技盤６の遊技領域７を前面側から透視可能とするためのガラス板
からなる視認窓９００が中央に形成され
前面枠１０１に対して左側辺を中心として回動自在に軸支され、
【０１６３】
　図１２に示すように、
ガラス扉枠１０２は、該ガラス扉枠１０２の躯体を構成する前板ベースユニット９０１と、前板ベースユニット９０１の前面上辺部にネジ９０２ａにより取り付けられる天レンズユニット９０２と、前板ベースユニット９０１の前面左辺部にネジ９０３ａにより取り付けられる前板左サイドレンズユニット９０３と、前板ベースユニット９０１の前面右辺部にネジ９０４ａにより取り付けられる前板右サイドレンズユニット９０４と、前板ベースユニット９０１の前面下辺部にネジ９０５ａにより取り付けられる前板下飾りユニット９０５と、から主に構成され
【０１６４】
（前板ベースユニット）
　図１３に示すように、
前板ベースユニット９０１は、合成樹脂材により中央に視認窓９００を構成する視認開口９０６を有する四角枠状に形成された前板ベース９０７により構成され
刊１−オ
「【０１６９】
　図１４に示すように、前板ベース９０７の前面上部には、センター中継基板９２０がネジ９２０ａにより取り付けられている。前板ベース９０７の前面左側には、縦長の左前板基板４７３ａがネジ９２６ａにより取り付けられている。左前板基板４７３ａの前面上部には、賞球ＬＥＤ５１が設けられるとともに、その下方には、複数の左枠ＬＥＤ２８ｆが上下方向に向けて列設されている。
前板ベース９０７の前面右側には、縦長の右前板基板４７３ｂが
取り付けられ
右前板基板４７３ｂの前面上部には、球切れＬＥＤ５２が設けられるとともに、その下方には、複数の右枠ＬＥＤ２８ｇが上下に向けて列設され
刊１−カ
「【０２６９】
　（上皿ベースユニット）
　図３９に示すように、上皿ベースユニット１０８０は、前面側に膨出する上皿部３ａが上部に形成された左右方向に延びる上皿ベース１０８５にて外形が構成されている。
この上皿部３ａにおける左右側には、複数の開口１０８６ａ，１０８６ｂが左右方向に形成され
【０２７０】
　左側の
開口１０８６ａの背面側に
複数のＬＥＤが配設された上皿左基板１０９０Ｌが
取り付けられ
【０２７１】
　右側の
開口１０８６ｂの背面側に
複数のＬＥＤが配設された上皿右基板１０９０Ｒが
取り付けられ
刊１−キ
「図１
」
刊１−ク
「図４
」
刊１−ケ
「図５
」
刊１−コ
「図６
」
刊１−サ
「図７
」
刊１−シ
「図１０
」
刊１−ス
「図１１
」
刊１−セ
「図１２
」
刊１−ソ
「図２３
」
刊１−タ
「図２５
」
刊１−チ
「図３９
」
（２）　認定事項
ア　刊１−ソに示した図２３（ａ）を参照すると、刊１−イに示した段落【００３０】の周辺領域Ｚは、ガラス扉枠１０２に設けられるものであると認められる。
イ　刊１−キに示した図１、刊１−クに示した図４及び刊１−ソに示した図２３を参照すると、左発光部２８Ｌは周辺領域Ｚの左側に設けられ、右発光部２８Ｒは周辺領域Ｚの右側に設けられる点が見て取れる。
　また、図２３（ｂ）に記載された９３５Ｒの部材の周囲の点線が、右枠下ＬＥＤ２８ｅからの光の散乱方向を示すことは当業者にとって明らかであり、その点線は、遊技者Ｙの方向に加えて、遊技者Ｙと対向しない方向に向けても示されており、図２３（ｂ）に示された光の散乱方向と、図４に示された右発光部２８Ｒの位置関係を対照すると、右発光部２８Ｒの光は、遊技者Ｙの方向に加えて、遊技者Ｙと対向しない方向にも散乱するものであることが認められる。
　そして、左発光部２８Ｌは上皿部３ａから左側に連続して設けられており、右発光部２８Ｒは上皿部３ａから右側に連続して設けられている点も見て取れる。
　さらに、上皿部３ａと、右発光部２８Ｒとは、共通の意匠で構成されている点も見て取れる。
ウ　刊１−クに示した図４、刊１−コに示した図６及び刊１−サに示した図７を参照すると、右発光部２８Ｒよりも上皿部３ａが前方に膨出する点が見て取れる。
エ　刊１−ウに示した段落【０１４９】には、「ガラス扉枠１０２の前面周縁に設けられた天発光部２８Ｈ，左発光部２８Ｌ，右発光部２８Ｒは、後述する各種レンズカバーにより前方に膨出する立体形状に形成され」と記載されており、刊１−クに示した図４と、刊１−セに示した図１２及び刊１−タに示した図２５の記載を対比すると、前記図４に記載された左発光部２８Ｌ及び右発光部２８Ｒは、前記図１２及び図２５に記載された前板左サイドレンズユニット９０３及び前板右サイドレンズユニット９０４により、それぞれ構成される点が見て取れる。
オ　刊１−オに示した段落【０１６９】には、「前板ベース９０７の前面右側には、縦長の右前板基板４７３ｂがネジ９２６ｂにより取り付けられている。右前板基板４７３ｂの前面上部には、球切れＬＥＤ５２が設けられるとともに、その下方には、複数の右枠ＬＥＤ２８ｇが上下に向けて列設されている。」と記載され、一方、刊１−イに示した段落【００３１】には、「右発光部２８Ｒの所定箇所に、補給球が切れたときに点灯する球切れＬＥＤ５２が設けられている。」と記載されていることから、球切れＬＥＤ５２が右発光部２８Ｒの所定箇所に設けられるとともに、右発光部２８Ｒのその下方に、上下に向けて列設された複数の右枠ＬＥＤ２８ｇが発光する部位が設けられることは、当業者にとって明らかである。
カ　刊１−クに示した図４に記載された右発光部２８Ｒの形状、刊１−セに示した図１２及び刊１−タに示した図２５に記載された右発光部２８Ｒの構成部品である前板右サイドレンズユニット９０４の形状を参酌すると、右発光部２８Ｒは、遊技盤側６の側面と、遊技盤６と反対側の側面を有する点が見て取れる。
キ　刊１−エに示した段落【０１６２】には、「ガラス扉枠１０２は」「前面枠１０１に対して左側辺を中心として回動自在に軸支され」る点が記載されており、上記認定事項アより、右発光部２８Ｒは周辺領域Ｚの右側に設けられる点が認定できることから、右発光部２８Ｒは、ガラス扉枠１０２において、軸支されていない側に設けられた点が認定できる。
（３）　引用発明
　上記刊１−アないし刊１−チに摘記した刊行物１の記載、及び、上記認定事項アないしキに示した認定事項を総合すると、刊行物１には、以下の発明（以下、「引用発明１」という。）が記載されているといえる。なお、ａないしｐの符号は、本願発明に付したＡないしＰの符号に対応させて、当審にて付与した。また、括弧内に示された段落番号は刊行物１における引用箇所を示すものである。
「ａ　遊技者の打球操作ハンドル５の操作により打球発射装置から発射されたパチンコ球が入る遊技領域７が前面に形成された遊技盤６と（段落【００１９】、【００３３】、図１）、 
ｂ　遊技盤６が着脱自在に取り付けられた前面枠１０１と（段落【００１９】、図１、図４、図５）、 
ｃ　前面枠１０１の前面に一側を中心に開閉可能に設けられ、遊技盤６の遊技領域７を前面側から透視可能とするためのガラス板からなる視認窓９００が中央に形成されたガラス扉枠１０２と（段落【００１７】、【０１６２】、図１、図４、図１０、図１１）、 を備え、
ｄ　ガラス扉枠１０２の下方に取り付けられた下扉枠１０３の前面上部に、上皿３が上面に形成された上皿部３ａがパチンコ遊技機１の前方に向けて突設され（段落【００１８】、図１、図４）、
　この上皿部３ａの上面左右方向の中央部には、チャンスボタン５１６が遊技者により押圧操作可能に設けられ（段落【００１８】、図１、図４）、
　この上皿部３ａにおける左右側には、複数の開口１０８６ａ，１０８６ｂが左右方向に形成され、複数の開口１０８６ａ、１０８６ｂの背面側に複数のＬＥＤが配設された上皿左基板１０９０Ｌ、上皿右基板１０９０Ｒが取り付けられており（段落【０２６９】、【０２７０】、【０２７１】、図３９）、
ｅ　ガラス扉枠１０２の遊技領域７の外側の周縁領域Ｚの左側には、左枠下ＬＥＤ２８ｄ、左枠ＬＥＤ２８ｆが内蔵される左発光部２８Ｌが設けられ、左発光部２８Ｌは上皿部３ａから連続して設けられており（段落【００３０】、図１、図４、図２３、認定事項ア、イ）、 
ｆ　周縁領域Ｚの右側には、右枠下ＬＥＤ２８ｅ、右枠ＬＥＤ２８ｇが内蔵される右発光部２８Ｒが設けられ、右発光部２８Ｒは上皿部３ａから連続して設けられ、右発光部２８Ｒの方が左発光部２８Ｌよりも前方に膨出されており（段落【００３０】、【０１４９】、図１、図４、図２３、認定事項ア、イ）、 
ｇ　上皿部３ａと、右発光部２８Ｒとは、共通の意匠で構成されており（段落【００１８】、【００３０】、図１、図４、認定事項イ）、 
ｉ　上皿部３ａは右発光部２８Ｒよりも前方に膨出して形成され（図６、認定事項ウ）、
ｊ　右発光部２８Ｒは、ガラス扉枠１０２において、軸支されていない側に設けられ（段落【０１６２】、図４、図６、図７、認定事項キ）、
ｍ　右発光部２８Ｒは、遊技盤６側の側面と、遊技盤６と反対側の側面を有し（図１、図４、図１２、図２５、認定事項カ）、
ｎ　ガラス扉枠１０２は、該ガラス扉枠１０２の躯体を構成する前板ベースユニット９０１と、前板ベースユニット９０１の前面上辺部にネジ９０２ａにより取り付けられる天レンズユニット９０２と、前板ベースユニット９０１の前面左辺部にネジ９０３ａにより取り付けられる前板左サイドレンズユニット９０３と、前板ベースユニット９０１の前面右辺部にネジ９０４ａにより取り付けられる前板右サイドレンズユニット９０４と、前板ベースユニット９０１の前面下辺部にネジ９０５ａにより取り付けられる前板下飾りユニット９０５と、から主に構成され（段落【０１６３】）、
　左発光部２８Ｌ及び右発光部２８Ｒは、前板左サイドレンズユニット９０３及び前板右サイドレンズユニット９０４により、それぞれ構成され（段落【０１４９】、図４、図１２、図２５、認定事項エ）、
　前板ベースユニット９０１は、合成樹脂材により中央に視認窓９００を構成する視認開口９０６を有する四角枠状に形成された前板ベース９０７により構成され、前板ベース９０７の前面右側には、縦長の右前板基板４７３ｂが取り付けられ、右前板基板４７３ｂの前面上部には、球切れＬＥＤ５２が設けられるとともに、その下方には、複数の右枠ＬＥＤ２８ｇが上下に向けて列設され（段落【０１６４】、【０１６９】、図１４）、
　右発光部２８Ｒの所定箇所に、補給球が切れたときに点灯する球切れＬＥＤ５２が設けられ、その下方に、上下に向けて列設された複数の右枠ＬＥＤ２８ｇが発光する部位が設けられ（段落【００３１】、認定事項オ）、
　右発光部２８Ｒの光は、遊技者Ｙと対向する方向及び遊技者Ｙと対向しない方向に散乱するものである（図４、図２３、認定事項イ）
ｐ　パチンコ遊技機１（段落【００１６】）。」
２　刊行物２
　当審における拒絶理由に引用され、本願の原出願前に頒布された刊行物２には、以下の記載が存在する。
（１）　遊技者が操作可能なダイヤル操作部及び押圧操作部４０５に関して
刊２−ア
「【０２６４】
　また、扉枠５では、遊技窓１０１の下側中央で皿ユニット３００の上部中央に配置された操作ユニット４００のダイヤル操作部４０１及び押圧操作部４０５と対応したＬＥＤ４３０ｂ，４３２ｄが、操作ユニット４００を発光装飾させる操作部グループ１０９とされている。この操作部グループ１０９のＬＥＤ４３０ｂ，４３２ｄを適宜発光させることで、ダイヤル操作部４０１や押圧操作部４０５を発光装飾させることができ、ダイヤル操作部４０１や押圧操作部４０５の操作タイミングや操作方向等を遊技者に知らせることができるようになっている。」
　上記記載より、遊技者によって操作可能な操作部がダイヤル操作部４０１及び押圧操作部４０５からなる複数の操作部である点が認定でき、また、ダイヤル操作部４０１の操作方向を遊技者に知らせることができるものであるから、第一操作態様にて操作させる第一操作演出と、前記第一操作態様とは異なる第二操作態様にて操作させる第二操作演出とを含む複数の操作演出を実行可能であり、前記第一操作演出が実行される場合と、前記第二操作演出が実行される場合とで操作前の前記皿発光装飾手段の前記発光装飾部の発光態様が異なるものである構成が認定できる。
　よって、刊行物２には、
「遊技者によって操作可能な操作部に関して、前記操作部は複数の操作部であり、前記皿発光装飾手段が、前記複数の操作部のうちの特定の操作部に対して、第一操作態様にて操作させる第一操作演出と、前記第一操作態様とは異なる第二操作態様にて操作させる第二操作演出とを含む複数の操作演出を実行可能であり、前記第一操作演出が実行される場合と、前記第二操作演出が実行される場合とで操作前の前記皿発光装飾手段の前記発光装飾部の発光態様が異なるものである点」（以下、「刊行物２記載事項１」という。）が記載されている。
（２）　演出光を拡散させる構成に関して
刊２−イ
「【０２５０】
　これら
サイドレンズ２１０，２５０の後側には、サイドインナーレンズ２１２，２５２が配置されており、
このサイドインナーレンズ２１２，２５２の本体部２１２ａ，２５２ａには、
微細なプリズムが複数形成されており、後側に配置された装飾基板２１４，２１６，２５４，２５６からの光を拡散させることができるようになっている。
刊２−ウ
「図５９
」
　上記刊２−ウに示した図５９の記載より、装飾基板２１４，２１６，２５４，２５６からの光が演出光であることは明らかであり、サイドインナーレンズ２１２，２５２が後ろ側に配置されるサイドレンズ２１０，２５０は、発光部であることも明らかであるから、上記刊２−イ及び刊２−ウの記載より、刊行物２には、演出光を発光させる発光部に前記演出光を拡散させる拡散部を設ける点（以下、「刊行物２記載事項２」という。）が記載されているといえる。
３　刊行物３ 
　当審における拒絶理由に引用され、本願の原出願前に頒布された刊行物３には、遊技機枠の意匠に関して、以下の図面が記載されている。
「【左上方からみた斜視図】
【正面図】
」
　上記の【左上方からみた斜視図】及び【正面図】を参照すると、中央に形成された窓状の部分の右側に膨出する部分と前記窓状の部分の下部とが一体的な装飾とされており、前記窓状の部分の左側の部分と、前記一体的な装飾とされた部分とが異なる装飾とされた構成が記載されており、「遊技機枠において、窓状の部分の左側に膨出する部分と、前記窓状の部分の右側に膨出する部分及び前記窓状の部分の下方に膨出する部分とが、異なる装飾とされた構成」（以下、「刊行物３記載事項」という。）が記載されているといえる。
第５　対比
　引用発明１と本願発明とを対比する。なお、以下の見出し（ａ）ないし（ｐ）は、本願発明のＡないしＰに対応させている。
（ａ）　引用発明１の構成ａにおける「遊技者の打球操作ハンドル５の操作により打球発射装置から発射されたパチンコ玉が入る遊技領域７が前面に形成された遊技盤６」は、本願発明の「遊技者の操作によって遊技媒体が打込まれる遊技領域を有した遊技盤」に相当する。
　よって、引用発明１の構成ａは、本願発明の構成Ａに相当する。
（ｂ）　引用発明１の構成ｂにおける「遊技盤６が着脱自在に取り付けられた前面枠１０１」は、本願発明の「前記遊技盤を脱着可能に支持する本体枠」に相当する。
　よって、引用発明１の構成ｂは、本願発明の構成Ｂに相当する。
（ｃ）　引用発明１の構成ｃにおける「前面枠１０１の前面に一側を中心に開閉可能に設けられ」ることは、本願発明の「本体枠の前面に対して開閉可能に支持される」ことに相当する。
　また、引用発明１の構成ｃにおける「遊技盤６の遊技領域７を前面側から透視可能とするためのガラス板からなる視認窓９００」は、本願発明の「閉鎖した時に前記本体枠に支持された前記遊技盤の少なくとも前記遊技領域が遊技者側へ臨む遊技窓」に相当する。
　そして、引用発明１の構成ｃにおける「視認窓９００が中央に形成されたガラス扉枠１０２」は、本願発明の「遊技窓を有した扉枠」に相当する。
　よって、引用発明１の構成ｃは、本願発明の構成Ｃに相当する。
（ｄ）ア　引用発明１の構成ｄにおける「上皿３」は、本願発明の「前記遊技媒体を貯留可能な皿部」に相当する。
イ　引用発明１の構成ｄにおいて、「複数の開口１０８６ａ，１０８６ｂが左右方向に形成され、複数の開口１０８６ａ、１０８６ｂの背面側に複数のＬＥＤが配設された上皿左基板１０９０Ｌ、上皿右基板１０９０Ｒが取り付けられ」た部位は、発光装飾が可能な部位であることは明らかであるから、当該部位は、本願発明の「発光装飾可能な発光装飾部」に相当する。
ウ　引用発明１の構成ｄにおける「遊技者により押圧操作可能に設けられた」「チャンスボタン５１６」は、本願発明の「遊技者によって操作可能な」「操作部」に相当し、引用発明１の構成ｄにおける「チャンスボタン５１６が遊技者により押圧操作可能に設けられ」ることと、本願発明の「遊技者によって操作可能な複数の操作部」「を有する」こととは、「遊技者によって操作可能な」「操作部」「を有する」点で共通する。
エ　引用発明１の構成ｄにおける「上皿部３ａ」は、「上皿３が上面に形成され」、発光装飾が可能な部位を備え、「チャンスボタン５１６が」「遊技者により押圧操作可能に設けられ」るものであるから、本願発明の「遊技媒体を貯留可能な皿部と、発光装飾可能な発光装飾部と、遊技者によって操作可能な」「操作部と、を有する皿発光装飾手段」に相当する。 
オ　引用発明１の「ガラス扉枠１０２の下方に取り付けられた下扉枠１０３の前面上部に、」「上皿部３ａがパチンコ遊技機１の前方に向けて突設され」ることは、本願発明の「前記遊技窓の下方に」「皿発光装飾手段」が「前方に膨出して」「形成され」ることに相当する。
カ　よって、引用発明１と本願発明とは、「前記遊技窓の下方に形成され、前方に膨出して前記遊技媒体を貯留可能な皿部と、発光装飾可能な発光装飾部と、遊技者によって操作可能な」「操作部と、を有する皿発光装飾手段」を備える点で共通する。
（ｅ）　引用発明１の構成ｅにおける「ガラス扉枠１０２の遊技領域７の外側の周縁領域Ｚの左側」は、本願発明の「前記遊技窓の外周の所定領域」に相当し、引用発明１の構成ｅにおける「左発光部２８Ｌ」は、本願発明の「第一発光装飾手段」に相当し、引用発明１の構成ｅにおける「左発光部２８Ｌ」が「上皿部３ａから連続して設けられ」ることは、本願発明の「第一発光装飾手段」が「皿発光装飾手段に近接して設けられ」ることに相当する。
　そして、引用発明１において、「左発光部２８Ｌ」が装飾のために設けられ、遊技者側へ向けて発光可能とされることは当業者にとって明らかである。
　よって、引用発明１の構成ｅは、本願発明の構成Ｅに相当する。
（ｆ）　引用発明１の構成ｆにおける「周縁領域Ｚの右側」は、本願発明の「前記遊技窓の外周の前記所定領域とは異なる領域」に相当し、引用発明１の構成ｆにおける「右発光部２８Ｒ」は、本願発明の「第二発光装飾手段」に相当し、引用発明１の構成ｆにおける「右発光部２８Ｒの方が左発光部２８Ｌよりも前方に膨出されて」いることは、本願発明の「第二発光装飾手段」が「前記第一発光装飾手段よりも前方に膨出し発光可能な膨出部を有する」ことに相当する。
　よって、引用発明１の構成ｆは、本願発明の構成Ｆに相当する。
（ｇ）　引用発明１の構成ｇにおける「上皿部３ａと、右発光部２８Ｒは、共通の意匠で構成されて」いることと、本願発明の「前記皿発光装飾手段を上方からみたときの前記皿発光装飾手段による装飾と前記第二発光装飾手段を内方から見たときの前記第二発光装飾手段による装飾とで一体的な装飾をなして」いることは、前記皿発光装飾手段による装飾と前記第二発光装飾手段による装飾とが関連するものである点で共通する。
（ｉ）　引用発明１の構成ｉにおける「上皿部３ａは右発光部２８Ｒよりも前方に膨出して形成され」ることは、本願発明の「前記皿発光装飾手段は、前記第二発光装飾手段の前記膨出部よりもさらに前方に膨出して形成され」ることに相当する。
　よって、引用発明１の構成ｉは、本願発明の構成Ｉに相当する。
（ｊ）　引用発明１の構成ｊにおける「右発光部２８Ｒは、ガラス扉枠１０２において、軸支側でない側に設けられた」ことは、本願発明の「前記本体枠の前面に対して開閉可能に支持された前記扉枠の開放側に前記膨出部が位置」することに相当する。 
　よって、引用発明１の構成ｊは、本願発明の構成Ｊに相当する。
（ｍ）　上記（ｆ）より、引用発明１の「右発光部２８Ｒ」は「左発光部２８Ｌよりも前方に膨出されて」いるものであるから、「右発光部２８Ｒ」は、本願発明の「膨出部」に相当する部分を有するものであり、引用発明１の構成ｍにおける「右発光部２８Ｒ」が「遊技盤６側の側面と、遊技盤６と反対側の側面を有」することは、本願発明の「前記第二発光装飾手段の前記膨出部」が「内側面部」と「外側面部とを有」することに相当し、引用発明１の「遊技盤６側の側面」が「遊技盤と対向した遊技者から視認容易となる」面であり、「遊技盤６と反対側の側面」が「遊技盤と対向した遊技者から視認困難となる」面であることは、当業者にとって明らかである。
　よって、引用発明１の構成ｍは、本願発明の構成Ｍに相当する。
（ｎ）ア　引用発明１は、構成ｎにおいて「右発光部２８Ｒの所定箇所に、補給球が切れたときに点灯する球切れＬＥＤ５２が設けられ、その下方に、上下に向けて列設された複数の右枠ＬＥＤ２８ｇが発光する部位が設けられ」ていることが特定されているから、「右発光部２８Ｒ」は発光するものである。
　よって、引用発明１における「右発光部２８Ｒ」の発光は、本願発明の「第二発光装飾手段からの発光」に相当する。
イ　また、引用発明１は、構成ｍにおいて、「右発光部２８Ｒは、遊技盤６側の側面と、遊技盤６と反対側の側面を有」するものであり、構成ｎにおいて「右発光部２８Ｒの光は、遊技者Ｙと対向する方向及び遊技者Ｙと対向しない方向に散乱するものである」ことが特定されていることから、右発光部２８Ｒは、遊技盤６側に向けた光と、遊技盤６と反対側に向けた光を放つことは当業者にとって明らかである。
ウ　そして、引用発明１における右発光部２８Ｒの遊技盤６側に向けた光は、本願発明の「前記遊技盤と対向した遊技者から視認容易となる前記内側面部を介し前記遊技窓側である遊技機内側にむけて発光される内側発光」に相当し、引用発明１における右発光部２８Ｒの遊技盤６と反対側に向けた光は、本願発明の「前記遊技盤と対向した遊技者から視認困難となる前記外側面部を介し遊技機外側にむけて発光される外側発光」に相当する。
エ　よって、本願発明と引用発明１は、「第二発光装飾手段からの発光は、」「遊技盤と対向した遊技者から視認容易となる」「内側面部を介し」「遊技窓側である遊技機内側にむけて発光される内側発光と、前記遊技盤と対向した遊技者から視認困難となる」「外側面部を介し遊技機外側にむけて発光される外側発光と、がある」点で共通する。
オ　また、引用発明１の構成ｎにおける「補給球が切れたときに点灯する球切れＬＥＤ５２」は、遊技者及び遊技ホールの従業員に対する報知を目的として点灯可能であることは、当業者にとって明らかである。
カ　よって、引用発明１における「補給球が切れたときに点灯する球切れＬＥＤ５２」を点灯可能とすることと、本願発明の「遊技ホールの従業員に対して、様々な情報を報知するための複数種類の報知光を前記外側発光として、前記外側面部を介し遊技機外側にむけて発光可能と」することとは、「遊技ホールの従業員に対して、」「情報を報知するための」「報知光を」「発光可能と」する点で共通する。
キ　したがって、引用発明１の構成ｍ、ｎにおける「右発光部２８Ｒは、遊技盤６側の側面と、遊技盤６と反対側の側面を有し」、「右発光部２８Ｒの光は、遊技者Ｙと対向する方向及び遊技者Ｙと対向しない方向に散乱するものであ」り、「右発光部２８Ｒの所定箇所」に「球切れＬＥＤ５２」及び「その下方に、上下に向けて列設された複数の右枠ＬＥＤ２８ｇ」が設けられ、「補給球が切れたときに点灯する球切れＬＥＤ５２」を点灯可能とすることと、本願発明の「前記第二発光装飾手段からの発光は、前記遊技盤と対向した遊技者から視認容易となる前記内側面部を介し前記遊技窓側である遊技機内側にむけて発光される内側発光と、前記遊技盤と対向した遊技者から視認困難となる前記外側面部を介し遊技機外側にむけて発光される外側発光と、があるとともに、前記外側面部が視認容易な遊技ホールの従業員に対して、様々な情報を報知するための複数種類の報知光を前記外側発光として、前記外側面部を介し遊技機外側にむけて発光可能と」することとは、「第二発光装飾手段からの発光は」、「前記遊技盤と対向した遊技者から視認容易となる前記内側面部を介し前記遊技窓側である遊技機内側にむけて発光される内側発光と、前記遊技盤と対向した遊技者から視認困難となる前記外側面部を介し遊技機外側にむけて発光される外側発光と、があるとともに、」「遊技ホールの従業員に対して」「情報を報知するための」「報知光を」「発光可能と」する点で共通する。
（ｐ）　引用発明１の構成ｐにおける「パチンコ遊技機１」は、本願発明の「遊技機」に相当する。 
　以上のことから、本願発明と引用発明１は、以下の点で一致する。
＜一致点＞
Ａ　遊技者の操作によって遊技媒体が打込まれる遊技領域を有した遊技盤と、
Ｂ　前記遊技盤を脱着可能に支持する本体枠と、
Ｃ　前記本体枠の前面に対して開閉可能に支持されると共に閉鎖した時に前記本体枠に支持された前記遊技盤の少なくとも前記遊技領域が遊技者側へ臨む遊技窓を有した扉枠と、
Ｄ’　前記遊技窓の下方に形成され、前方に膨出して前記遊技媒体を貯留可能な皿部と、発光装飾可能な発光装飾部と、遊技者によって操作可能な操作部と、を有する皿発光装飾手段と、
Ｅ　前記皿発光装飾手段に近接して設けられ、前記遊技窓の外周の所定領域を装飾し、遊技者側へ向けて発光可能とされた第一発光装飾手段と、
Ｆ　前記遊技窓の外周の前記所定領域とは異なる領域を装飾し、前記第一発光装飾手段よりも前方に膨出し発光可能な膨出部を有する第二発光装飾手段と、
を備え、
Ｇ’　前記皿発光装飾手段による装飾と前記第二発光装飾手段による装飾とが関連するものであり、
Ｉ　前記皿発光装飾手段は、前記第二発光装飾手段の前記膨出部よりもさらに前方に膨出して形成され、
Ｊ　前記本体枠の前面に対して開閉可能に支持された前記扉枠の開放側に前記膨出部が位置し、
Ｍ　発光可能な前記膨出部は、前記遊技盤と対向した遊技者から視認容易となる内側面部と、前記遊技盤と対向した遊技者から視認困難となる外側面部とを有し、
Ｎ’　前記第二発光装飾手段からの発光は、前記遊技盤と対向した遊技者から視認容易となる前記内側面部を介し前記遊技窓側である遊技機内側にむけて発光される内側発光と、前記遊技盤と対向した遊技者から視認困難となる前記外側面部を介し遊技機外側にむけて発光される外側発光と、があるとともに、遊技ホールの従業員に対して情報を報知するための報知光を発光可能とされた
Ｐ　遊技機。
　そして、両者は、以下の点で相違する。
＜相違点１＞　（構成Ｄ、Ｋ、Ｌに関して） 
　遊技者によって操作可能な操作部の構成及び皿発光装飾手段の演出に関して、本願発明は、前記操作部は複数の操作部であり、前記皿発光装飾手段が、前記複数の操作部のうちの特定の操作部に対して、第一操作態様にて操作させる第一操作演出と、前記第一操作態様とは異なる第二操作態様にて操作させる第二操作演出とを含む複数の操作演出を実行可能であり、前記第一操作演出が実行される場合と、前記第二操作演出が実行される場合とで操作前の前記皿発光装飾手段の前記発光装飾部の発光態様が異なるものであるのに対して、引用発明１は、そのような構成を有しない点。  
＜相違点２＞　（構成Ｇに関して） 
　皿発光装飾手段による装飾と第二発光装飾手段による装飾の関連に関して、本願発明は、前記皿発光装飾手段を上方からみたときの前記皿発光装飾手段による装飾と前記第二発光装飾手段を内方から見たときの前記第二発光装飾手段による装飾とで一体的な装飾をなしているのに対して、引用発明１は、上皿部３ａと、右発光部２８Ｒとは、共通の意匠で構成されてはいるものの、上皿部３ａを上方からみたときの装飾と右発光部２８Ｒを内方から見たときの装飾とが一体的な装飾をなすものか否かが特定されていない点。 
＜相違点３＞　（構成Ｈに関して）
　第一発光装飾手段による装飾と、第二発光装飾手段と皿発光装飾手段による装飾の関連に関して、本願発明は、第一発光装飾手段による装飾は、第二発光装飾手段と皿発光装飾手段による一体的な装飾とは異なる装飾であるのに対して、引用発明１は、その点が特定されていない点。
＜相違点４＞　（構成Ｎ、Ｏに関して）
　第二発光装飾手段からの発光に関して、本願発明は、遊技ホールの従業員に対して、様々な情報を報知するための複数種類の報知光を前記外側発光として、前記外側面部を介し遊技機外側にむけて発光可能とし、前記報知光を発光する箇所は、遊技に対応した演出光も発光可能とされているのに対して、引用発明１は、その点が特定されていない点。
＜相違点５＞　（構成Ｏに関して）
　第二発光装飾手段の発光可能な箇所に関して、本願発明は、当該箇所に光を拡散させる拡散部を有するのに対して、引用発明１は、その点が不明である点。
第６　検討・判断
１　相違点についての検討
（１）　相違点１について
　刊行物２には、上記「第４」「２　刊行物２」において指摘したように、刊行物２記載事項１が記載されている。 
　そして、引用発明１と刊行物２記載事項１は、遊技者が操作可能な操作部を有する遊技機という共通の技術分野に属し、また、遊技者の興趣性の向上という共通の課題を有するものであるから、引用発明１の遊技者によって操作可能な操作部の構成及び皿発光装飾手段の演出に、遊技者の興趣性の向上を動機付けにして、刊行物２記載事項１を採用し、本願発明の上記相違点１に係る構成を成すことは、当業者が容易に想到し得ることである。 
（２）　相違点２について
　引用発明１の構成ｇにおける「上皿部３ａと、右発光部２８Ｒは、共通の意匠で構成されて」いることは、そのことによって、遊技者に対し、それらが相互に関連して装飾効果をもたらすものであることが当業者にとって明らかである。
　そして、その装飾効果が遊技中の遊技者から視認可能な部位において奏されるものであり、引用発明１において、遊技者にとって視認可能な部位が、上皿部３ａの上面側及び右発光部２８Ｒの内方側であることもまた当業者にとって明らかであるから、引用発明１においても、共通の意匠で構成されている上皿部３ａと、右発光部２８Ｒを、遊技者にとって視認可能な部位である上皿部３ａの上面側及び右発光部２８Ｒの内方側とで一体的な装飾をなすように構成されているものと認められ、本願発明の上記相違点２に係る構成は、実質的な相違点とは認められない。
（３）　相違点３について
　刊行物３には、上記「第４」「３　刊行物３」において指摘したように、刊行物３記載事項が記載されている。 
　そして、引用発明１と刊行物３記載事項は、中央に形成された窓状の部分の右側に膨出する部分を有する遊技機という共通の技術分野に属し、また、遊技機における意匠性を高めるという共通の課題を有するものであるから、引用発明１における左発光部２８Ｌ、右発光部２８Ｒ及び上皿部３ａの装飾に関して、刊行物３記載事項を適用し、左発光部２８Ｌの装飾を、右発光部２８Ｒ及び上皿部３ａの装飾とは異なる装飾とし、本願発明の上記相違点３に係る構成を成すことは、当業者が容易に想到し得ることである。 
（４）　相違点４について
　引用発明１は、構成ｍにおいて特定されているように、右発光部２８Ｒが、「遊技盤６側の側面と、遊技盤６と反対側の側面を有」するものであるから、上記「第５　対比」「（ｎ）」「イ」において検討したように、右発光部２８Ｒは、遊技盤６側に向けた光と、遊技盤６と反対側に向けた光を放つことは当業者にとって明らかである。そして、球切れＬＥＤ５２は、右発光部２８Ｒに設けられるものであるから、球切れＬＥＤ５２の点灯に伴う光も、遊技盤６側に向けた光及び遊技盤６と反対側に向けた光として発光されることは明らかであり、引用発明１も、本願発明と同様に、報知光を外側発光として、外側面部を介し遊技機外側にむけて発光可能であると認められる。
　してみると、本願発明の相違点４に係る構成のうち、報知光を外側発光として、外側面部を介し遊技機外側にむけて発光可能とする点は、引用発明１も備えていると認められ、その点は実質的な相違点ではない。
　また、パチンコ遊技機において、扉枠に設けた発光装飾部が、遊技店の従業員に対して、様々な情報を報知するための複数種類の報知光を発光可能であるとともに、遊技者に対して行われる演出光を発光可能であることは、下記のア及びイに示すように、原出願前に周知の事項（以下、「周知事項１」という。）である。
ア　原出願前に頒布された刊行物である特許第３９４２２５４号公報には、以下の記載がある（下線は当審で付与した。以下、同様。）。
「【００３９】
  上記の手順にて取り付けた
第１発光部２１は、前面カバー部材１５における上部に位置し、
第１ランプ基板４０のＬＥＤ４０ａが遊技者側（即ち、前方斜め下向き）に向いた状態（傾倒状態）で配置される。
  そして、この状態で第１発光部２１が発光した場合には、この第１発光部２１が、前面カバー部材１５の膨出部分における内周面１５Ｂであって上縁部に設けてあるため、
遊技者の位置からは第１発光部２１の発光状態が視認し易い。
  一方、近隣のパチンコ遊技機１で遊技を行っている遊技者等からは、前面カバー部材１５の膨出部分が第１発光部２１からの光を遮光するので、この第１発光部２１の発光状態が視認し難い。
【００４０】
また、
第２発光部２２は、前面カバー部材１５における上端部に位置する。
島設備の両脇からでも第２発光部２２の発光状態を視認することができる。従って、遊技店の従業員の待機位置からもこの第２発光部からの光を容易に認識することができる。
「【００４６】
そして、役物制御装置４６は、
主として遊技者に知らせたい情報の報知を、第１ランプ基板４０（第１発光部２１）を発光させることにより行い
主として遊技店の従業員に知らせたい情報の報知を、第２ランプ基板４３（第２発光部２２）を発光させることにより行っている
。
「【００４８】
また、
不正行為に係る場合やパチンコ遊技機１の保守を必要とする場合については、主として遊技店の従業員に知らせたい情報として扱い、第２ランプ基板４３（第２発光部２２）の発光により報知を行っている。具体的に例示すると、前面カバー部材１５や前面枠５が開放された場合の報知、球詰まり等のエラーの報知、パチンコ遊技機１に貯留してある遊技球の量が不足した場合等である。
そして、この報知は、従業員等からは視認し易く、尚且つ、遊技者からは視認し難いので、従業員は速やかに保守を行うことができると共に、不正行為の発見を確実にすることができる。
【００４９】
さらに、
補助遊技で大当たりした場合については、遊技者と従業員の双方に知らせたい情報として扱い、第１ランプ基板４０と第２ランプ基板４３の両方の発光により報知を行っている。
そして、この報知は、遊技者からも従業員等からも視認し易いので、遊技者は大当たりの喜びを得ることができるし、従業員は直ちに球箱を運んでくることができる。」
イ　原出願前に頒布された刊行物である特開２０１０−１２１３０号公報には、以下の記載がある。
「【００５４】
　また、
貯留皿３０、扉枠５の前面の遊技窓４２及び扉枠５の周囲には遊技演出効果を奏するための扉枠装飾ランプ５ａａ，５ｂ〜５ｈを内蔵するランプカバーや装飾板によって覆われている。
「【１０２１】
　・・・例えば
ホールの店員に対して遊技者の遊技を注意する旨を伝えるために注意演出として
扉枠装飾ランプ５ｇの点滅制御を行い
「【１１４４】
　・・・
リトライ動作が異常状態であると判断すると、
扉枠装飾ランプ５ｈが所定の色（本実施形態では、赤色）で発光してリトライ動作が異常状態である旨を報知することができる。
ホールの店員等は、計数スイッチ４６２と払出制御基板７１５とを電気的に接続するハーネスの断線や計数スイッチ４６２の不具合等を極めて早く把握することができる。
　そして、引用発明１と周知事項１とは、発光部を用いて遊技機の情報を報知するという共通の課題を有するものであるから、複数種類の情報を効率よく報知可能とすることの動機付けとして、引用発明１における球切れＬＥＤ５２を用いた構成に、周知事項１を適用することは、当業者が容易になし得ることである。
　したがって、本願発明の上記相違点４に係る構成は、引用発明１に周知事項１を適用することによって、当業者が容易に想到し得ることである。
（５）　相違点５について
　パチンコ遊技機において、発光可能な箇所に光を拡散させる拡散部を有することは、例えば、上記「第４」「２　刊行物２」「（２）　演出光を拡散させる構成に関して」において、刊行物２記載事項２として示したように、上記刊行物２にも記載されており、このような構成は、原出願前に周知の事項である（以下、「周知事項２」という。）。
　したがって、本願発明の上記相違点５に係る構成は、引用発明１に周知事項２を適用することによって、当業者が容易に想到し得ることである。
（６）　本願発明の奏する作用効果について
　本願発明の奏する作用効果は、引用発明１、刊行物２記載事項１、刊行物３記載事項、周知事項１、及び、周知事項２に基づき、当業者が予測できる範囲のものであり、格別なものではない。
２　令和１年５月１７日付け意見書における請求人の主張への反論
　請求人は、令和１年５月１７日付け意見書の「［３］本願発明が特許されるべき理由」において、以下の主張を行っている。なお、下線は、当審において付与したものである。
「・・・引用文献１は審判合議体がご認定されております通り、本願発明の「膨出部」に相当する「右発光部２８Ｒ」が開示され、加えて段落［００３１］に「右発光部２８Ｒの所定箇所に、補給球が切れたときに点灯する球切れＬＥＤ５２が設けられている。」と記載されておりますが、図１４などから明らかなように「球切れＬＥＤ５２」は遊技盤と対向した遊技者から視認困難な箇所に配置されているものではありません。そもそも、引用文献１には遊技盤と対向した遊技者から視認困難な箇所として「右発光部２８Ｒ」の右側面や「天発光部２８Ｈ」の上面などを有しておりますが、図４−図６の記載から明らかなようにこのような
遊技盤と対向した遊技者から視認困難な箇所に発光部が設けられておりません
　また、引用文献４においては、段落［００２３］などに「補給球があらかじめ定められた貯留量を下回っているときに点灯する球切れランプ５２が設けられている」という記載がされておりますが、引用文献３に記載の遊技機を正面からみた正面図である図１から明らかなように「球切れランプ５２」は遊技盤と対向した遊技者から視認容易な箇所に設けられております。なお、引用文献３の段落［０２４９］には「また、上記の実施の形態では、賞球ランプ５１と球切れランプ５２とが分かれて設置されていたが、１つのランプ等の発光体で兼用してもよい。」といった記載もされておりますが、補正後の本願発明のように
遊技盤と対応した遊技者から視認困難な箇所に「球切れランプ５２」を設けるといった記載や示唆は一切されておりません。
　さらに、引用文献５は段落［００１４］に「遊技機には、異常が行われていることを報知するために音声および光の少なくとも一方を出力する報知部を設けても良い。報知部は、異常の報知専用としてもよいし、遊技中の演出に用いるスピーカやランプを兼用してもよい。」と記載がされておりますが、あわせて段落［００１４］に「異常の報知がされていることを遊技者に認識させることで遊技者の注意を喚起するようにしたりすることが可能となる。」と記載されていることから、
遊技ホールの従業員に対して行う異常の報知を遊技盤と対応した遊技者が気づき難くなるように視認困難な箇所で行っている補正後の本願発明と明らかに異なります。
　なお、引用文献２および引用文献３は、いずれも遊技ホールの従業員に対して報知するための報知光を発光している箇所が設けられているといった記載は一切されておりません。仮に、引用文献２および引用文献３において報知光を発光する箇所が設けられていたとしても、
遊技盤と対向した遊技者から視認困難と推定可能な箇所には発光部が備えられておりません。
　しかしながら、本願発明は、「前記外側面部が視認容易な遊技ホールの従業員に対して、様々な情報を報知するための複数種類の報知光を前記外側発光として、前記外側面部を介し遊技機外側にむけて発光可能と」する点が特定されたものであり、遊技盤と対向した遊技者から視認困難な箇所に報知光を発光する発光部を設ける点は、なんら特定されていない。
　してみると、請求人の上記意見書における主張は、請求項１に記載された事項に基づかないものであり、採用することはできない。
　そして、引用発明１においても、「前記外側面部が視認容易な遊技ホールの従業員に対して、様々な情報を報知するための複数種類の報知光を前記外側発光として、前記外側面部を介し遊技機外側にむけて発光可能」であることは、上記「１　相違点についての検討」「（４）　相違点４について」において検討したとおりである。
　したがって、請求人の意見書における上記の主張を参酌しても、本願発明が格別な進歩性を有するものとは認められない。
第７　結語
　以上のとおり、本願発明は、引用発明１に、刊行物２記載事項１、刊行物３記載事項、周知事項１、及び、周知事項２を適用することによって、当業者が容易に発明をすることができたものであるから、特許法第２９条第２項の規定により特許を受けることができないものであって、本願は拒絶すべきものである。 
　よって、結論のとおり審決する。